(57)【要約】【課題】温水での洗濯運転が実行されている場合における、排水異常を検知した際のユーザの安全性を確保する。【解決手段】本実施形態の洗濯機は、温水を使用した温水洗濯運転が実行されているか否かを判断する判断手段と、洗い槽からの排水の異常を検知する排水異常検知手段と、排水異常検知手段が排水の異常を検知したときに排水異常を報知する異常報知手段と、判断手段により温水洗濯運転が実行されていると判断されているときには、排水異常検知手段が排水異常を検知した際の異常報知手段により異常報知を行うタイミングを、常温の水を使用した通常洗濯運転の場合よりも遅延させる報知制御手段とを備えている。【選択図】図１
2017080011.tif 000002
【特許請求の範囲】
【請求項１】
洗い槽内で温水を使用した洗濯運転の実行が可能な洗濯機であって、
温水を使用した温水洗濯運転が実行されているか否かを判断する判断手段と、
前記洗い槽からの排水の異常を検知する排水異常検知手段と、
前記排水異常検知手段が排水の異常を検知したときに排水異常を報知する異常報知手段と、
前記判断手段により温水洗濯運転が実行されていると判断されているときには、前記排水異常検知手段が排水異常を検知した際の前記異常報知手段により異常報知を行うタイミングを、常温の水を使用した通常洗濯運転の場合よりも遅延させる報知制御手段とを備える洗濯機。
【請求項２】
前記洗い槽内の洗濯水の温度を検出する水温検出手段を備え、
前記報知制御手段は、前記排水異常検知手段が排水異常を検知した際の前記水温検出手段により検出された水温に応じて、該水温が高いほど遅延時間を長くするように、前記異常報知手段により異常報知を行うタイミングを変更する請求項１記載の洗濯機。
【請求項３】
洗い槽内で温水を使用した洗濯運転の実行が可能な洗濯機であって、
前記洗い槽からの排水の異常を検知する排水異常検知手段と、
前記排水異常検知手段が排水の異常を検知したときに排水異常を報知する異常報知手段と、
前記洗い槽内の洗濯水の温度を検出する水温検出手段と、
前記排水異常検知手段が排水異常を検知した際に、前記水温検出手段により検出された水温が所定温度未満であることを条件に、前記異常報知手段により異常報知を行う報知制御手段とを備える洗濯機。
【請求項４】
前記報知制御手段は、前記排水異常検知手段が排水異常を検知した際に、所定の待機時間が経過した後に、前記異常報知手段により異常報知を行うかどうかの判断を行う請求項３記載の洗濯機。
【請求項５】
温水を利用した洗濯運転中に電源切断状態となった場合に、温水洗浄を記憶する記憶手段を備え、
前記報知制御手段は、電源がオンされた際に、前記記憶手段に温水洗浄が記憶されている場合には、再開後の洗濯運転における温水の利用の有無に関係なく、前記排水異常検知手段が排水異常を検知した際の異常報知の制御を実行する請求項１から４のいずれか一項に記載の洗濯機。
【請求項６】
前記報知制御手段は、前記排水異常検知手段が排水異常を検知した後、最大遅延時間が経過した後に、無条件で前記異常報知手段により異常報知を行う請求項１から５のいずれか一項に記載の洗濯機。
【請求項７】
前記報知制御手段は、前記排水異常検知手段が排水異常を検知した後、前記異常報知手段により異常報知を行うまでの間に、水温が高温である旨を知らせる前段報知を行う請求項１から６のいずれか一項に記載の洗濯機。
【発明の詳細な説明】
【技術分野】
【０００１】
本発明の実施形態は、洗濯機に関する。
【背景技術】
【０００２】
例えばドラム式の洗濯機においては、水槽内の下部にヒータを設け、水槽（洗い槽）内に貯留される水を前記ヒータにより加熱する構成としたものが提案されている（例えば、特許文献１参照）。このような構成のものでは、洗濯時に水槽内の水を加熱して温水化し、その温水で洗い行程を実行することで、洗浄性能の向上を図ることが期待できる。尚、特許文献１では、使用者の安全性を確保するために、温水での洗い運転時に、洗濯水の温度が所定温度以上になった場合に、循環ポンプの駆動を停止するようになっている。
【先行技術文献】
【特許文献】
【０００３】
【特許文献１】特開２０１２−１７０６８８号公報
【発明の概要】
【発明が解決しようとする課題】
【０００４】
ところで、洗濯機においては、洗い行程後の排水において、排水弁を開いてから所定時間後に水槽の水位が所定水位まで低下しない場合に、排水異常と判断してユーザに対し異常を報知して、フィルタの点検を促すことが行われている。上記のような温水で洗濯運転を行っている場合には、フィルタ部分に温水が残っているため、ユーザがフィルタを点検しようとした際の安全性を確保することが重要となる。
【０００５】
そこで、温水での洗濯運転が実行されている場合における、排水異常を検知した際のユーザの安全性を確保することができる洗濯機を提供する。
【課題を解決するための手段】
【０００６】
本実施形態の一の洗濯機は、洗い槽内で温水を使用した洗濯運転の実行が可能なものであって、温水を使用した温水洗濯運転が実行されているか否かを判断する判断手段と、前記洗い槽からの排水の異常を検知する排水異常検知手段と、前記排水異常検知手段が排水の異常を検知したときに排水異常を報知する異常報知手段と、前記判断手段により温水洗濯運転が実行されていると判断されているときには、前記排水異常検知手段が排水異常を検知した際の前記異常報知手段により異常報知を行うタイミングを、常温の水を使用した通常洗濯運転の場合よりも遅延させる報知制御手段とを備えている。
【０００７】
本実施形態の別の一の洗濯機は、洗い槽内で温水を使用した洗濯運転の実行が可能なものであって、前記洗い槽からの排水の異常を検知する排水異常検知手段と、前記排水異常検知手段が排水の異常を検知したときに排水異常を報知する異常報知手段と、前記洗い槽内の洗濯水の温度を検出する水温検出手段と、前記排水異常検知手段が排水異常を検知した際に、前記水温検出手段により検出された水温が所定温度未満であることを条件に、前記異常報知手段により異常報知を行う報知制御手段とを備えている。
【図面の簡単な説明】
【０００８】
【図１】第１の実施形態に係る洗濯機の全体構成を概略的に示す縦断右側面図
【図２】水槽底部のヒータユニット部分の構成を示す斜視図
【図３】操作パネルの平面図
【図４】洗濯機の電気的構成を示すブロック図
【図５】温水洗浄コースにおける行程の流れを示すフローチャート
【図６】排水異常検知時に制御装置が実行する制御手順を示すフローチャート
【図７】第２の実施形態を示すもので、排水異常を検知した際の水温と、異常報知を行うまでの遅延時間との関係を示す図
【図８】第３の実施形態を示すもので、表示装置における前段報知（ａ）及び異常報知（ｂ）の表示例を示す図
【発明を実施するための形態】
【０００９】
（１）第１の実施形態
以下、循環ポンプを備えたドラム式の洗濯機に適用した第１の実施形態について、図１から図６を参照しながら説明する。まず、図１を参照しながら、本実施形態に係る洗濯機１の全体構成について述べる。この洗濯機１は、ほぼ矩形箱状をなし洗濯機本体を構成する外箱２を有している。この外箱２の前面の中央部には、洗濯物出入口３が設けられていると共に、その洗濯物出入口３を開閉する扉４が配設されている。
【００１０】
詳しく図示はしないが、外箱２には、前記扉４の開閉状態を検出する扉スイッチ５が設けられていると共に、該扉４を閉塞状態にロックするための扉ロック機構６（共に図４にのみ図示）が設けられている。また、詳しくは後述するが、外箱２の前面上部には、操作パネル４０（図３参照）が設けられ、その裏側（外箱２内）には、ドラム式洗濯機１の全体を制御する制御手段としての制御装置４１が設けられている。
【００１１】
前記外箱２内には、横軸円筒状の水槽７が後下がりにやや傾斜した状態で、複数（例えば左右一対）のサスペンション８（一部のみ図示）を介して支持されている。この水槽７の後端側中心部には、例えばブラシレスＤＣモータからなるアウタロータ形のモータ９が配設されている。前記水槽７内には、洗濯物（衣類）が収容される洗い槽としての円筒状のドラム１０が回転可能に支持されている。このドラム１０は、前後方向に延び且つ後下がりにやや傾斜した傾斜軸を中心に回転するように構成されている。前記モータ９の回転軸９ａが、水槽７の背面を貫通して、ドラム１０の後端側中央部に連結されている。これにて、ドラム１０はモータ９により直接的に回転駆動される。尚、モータ９部分には、該モータ９の位置を検出する回転センサ３９（図４にのみ図示）が設けられている。
【００１２】
前記ドラム１０の周壁部には通水（通気）用の多数個の孔１０ａが形成され、また、ドラム１０の内周面部には、洗濯物掻き上げ用（撹拌用）の複数個（例えば３個）のバッフル１１が設けられている。このドラム１０の前面部には、衣類が出し入れされる開口部１２が設けられている。前記水槽７の前面部には、前記開口部１２に連なる投入口１３が形成されており、この投入口１３と前記洗濯物出入口３とがベローズ１４を介して連通している。
【００１３】
前記水槽７の背面側の底部には、排水口１５が形成されている。この排水口１５には、機内排水ホース１６の基端部が接続されている。前記外箱２の底部を構成する底板２ａには、前側部に位置してフィルタユニット１７が設けられている。詳しく図示はしないが、このフィルタユニット１７は、円筒状のケース内にリントフィルタを収容して構成され、その前面開口部にキャップ１８が開閉可能に装着されている。前記リントフィルタは、洗濯水中の比較的大きなリント（糸くず）を捕獲する機能を有する。前記外箱２には、キャップ１８の前方に位置して出し入れ用（ユーザによる点検用）の開口部が設けられ、その開口部がカバー２ｂにより開閉可能に塞がれている。
【００１４】
このフィルタユニット１７の上部には、ホース接続口１７ａが設けられ、このホース接続口１７ａに、前記機内排水ホース１６の先端部が接続されている。また、フィルタユニット１７の下部には、排水弁１９が接続され、この排水弁１９の出口側に排水パイプ２０が接続されている。この排水パイプ２０の先端部は、底板２ａを通って機外に臨み、図示しない機外排水ホースに接続される。これにて、排水弁１９が開放動作されると、水槽７内の洗濯水が、フィルタユニット１７を通った後、排水パイプ２０から排出される。
【００１５】
前記フィルタユニット１７の後端部には、循環ポンプ２１が設けられている。この循環ポンプ２１は、前記フィルタユニット１７に臨んで吸入口を有しており、前記水槽７及びドラム１０内の水を排水口１５、機内排水ホース１６及びフィルタユニット１７を介して吸引する。この循環ポンプ２１の上部には、吐出口２１ａが設けられ、この吐出口２１ａに送水ホース２２の基端部が接続されている。この送水ホース２２は、中間部が前記ベローズ１４の周側方から上方へ延びており、その先端部が前記水槽７の投入口１３の上部に形成された噴水ノズル２３に接続されている。
【００１６】
前記噴水ノズル２３は、洗濯水を前記ドラム１０の内下部（厳密には正面から見てやや右寄りの下部）に向けて、矢印Ｘ方向に噴射するように構成されている。これにより、循環ポンプ２１が駆動されると、前記水槽７内の洗濯水が、排水口１５、機内排水ホース１６、フィルタユニット１７及び送水ホース２２を通って、噴水ノズル２３からドラム１０内にシャワー状に放水される。洗濯水が前記フィルタユニット１７を通る際に、リントフィルタにより比較的大きなリントが捕獲されるようになっている。
【００１７】
前記フィルタユニット１７の前方上部には、エアトラップ２４が設けられている。一方、外箱２内の最上部には水位センサ２５が配設されている。これらエアトラップ２４と水位センサ２５とが、エアチューブ２６によって接続されている。これにて、水位センサ２５により、前記水槽７内の水位が、前記機内排水ホース１６、フィルタユニット１７、エアトラップ２４及びエアチューブ２６を介して検出される。
【００１８】
このとき、前記排水弁１９を開放動作させた排水時に、フィルタユニット１７内のリントフィルタに詰まりが発生していると、水槽７内の洗濯水の排水がスムーズに行われなくなる。後述するように、制御装置４１は、排水時の水位センサ２５の検出した水位に基づいて、排水弁１９の開放時から一定時間（例えば４分）が経過しても、水槽７内の水位が所定のリセット水位まで低下しない場合に、排水異常と判定して、排水異常の報知を行う。従って、制御装置４１及び水位センサ２５等から排水異常検知手段が構成される。
【００１９】
一方、前記外箱２内の上部には、前記水槽７内への給水を行う給水機構２７が設けられる。即ち、前記外箱２の後端上面部には、水道に接続される給水口２８が設けられている。この給水口２８は、給水弁２９に接続され、この給水弁２９は、接続パイプ３０を介して注水ケース３１の入口部に接続されている。前記注水ケース３１の出口部が、給水ホース３２を介して前記水槽７に接続されている。図示はしないが、前記注水ケース３１の内部には、洗剤貯留部等が設けられている。これにて、給水弁２９の開放動作により、水道水が、給水口２８から給水弁２９、接続パイプ３０、注水ケース３１、給水ホース３２を介して水槽７に供給される。
【００２０】
そして、本実施形態では、図２に示すように、前記水槽７の底部の洗濯水が溜められる部分には、左寄り部位に位置して凹所３３が設けられ、この凹所３３内に位置して水槽７内で温水を生成するためのヒータユニット３４が設けられている。このヒータユニット３４は、例えばシーズヒータからなる温水ヒータ３５、温水ヒータ３５の熱から水槽７を保護するヒータカバー３６、ヒータカバー３６上で温水ヒータ３５を保持するヒータホルダ３７等から構成されている。このヒータユニット３４が、水槽７（ドラム１０）内で温水を生成する温水供給手段として機能する。また、凹所３３内には、例えばサーミスタからなり、洗濯水（ヒータユニット３４の近傍部分）の温度を検出する水温検出手段としての水温センサ３８が設けられている。
【００２１】
尚、図示はしないが、前記外箱２内には、ドラム１０内に温風を循環供給して洗濯物を乾燥させるための乾燥ユニットが設けられている。この乾燥ユニットは、水槽７に設けられた給気口と排気口とを該水槽７の外側でつなぐように設けられた循環ダクト、この循環ダクト内に設けられた送風ファン及びヒータ等から構成されている。前記循環ダクト内に、除湿手段（例えばヒートポンプ）を設けても良い。
【００２２】
ここで、図３を参照しながら、前記操作パネル４０について述べる。この操作パネル４０には、電源入りキー４２、電源切りキー４３が設けられていると共に、洗濯運転を開始・一時停止させるためのスタートキー４４が設けられている。また、洗濯運転を自動で実行させるコースのいずれかを選択するためのコース選択キー４５、選択（設定）されたコースを表示するコース表示部４６が設けられている。尚、コースのうち「標準コース」が、デフォルト設定とされ、ユーザの操作がない場合には、標準コースが自動的に設定される。また本実施形態では、後述のように、常温よりも高く洗浄効果の向上が図られる温度である温水を使用して洗い行程を行う「温水洗浄コース」（６０℃除菌コース）の実行が可能となっている。
【００２３】
更に、操作パネル４０には、洗濯運転の各行程の時間や回数、水位の設定等をマニュアルで行うためのマニュアル操作キー４７、マニュアル設定に関する必要な表示を行う設定表示部４８、例えば４個のセグメント表示器を使用した時間表示部４９が設けられている。時間表示部４９には、洗濯運転時における残り時間や回数等の必要な表示が行われると共に、エラーや異常発生時のエラー（異常）報知等が行われ、表示装置として機能する。このとき、後述する排水異常検知時には、時間表示部４９に例えば「Ｃ１」といった異常表示が行われると共に、ブザー５１（図４にのみ図示）が鳴動される。
【００２４】
図４は、上記した制御装置４１を中心とした、洗濯機１の電気的構成を概略的に示している。制御装置４１は、ＣＰＵ、ＲＯＭ、ＲＡＭ等からなるマイクロコンピュータを主体として構成され、洗濯機１全体を制御して洗濯運転の各行程を実行する。また、制御装置４１には記憶手段としての、ＥＥＰＲＯＭ等の不揮発性メモリ５０が接続されている。この制御装置４１には、前記操作パネル４０の操作部（各操作キー４２〜４５、４７）からの操作信号が入力されると共に、制御装置４１が操作パネル４０の各表示部４６、４８、４９の表示を制御するようになっている。
【００２５】
また、制御装置４１には、前記水温センサ３８、水位センサ２５、扉スイッチ５、回転センサ３９からの検知信号が入力される。また、制御装置４１は、報知用のブザー５０を制御する。そして、制御装置４１は、モータ駆動回路５２を介して前記モータ９を駆動制御すると共に、駆動回路５３、５４、５５、５６、５７を介して、前記給水弁２９、排水弁１９、循環ポンプ２１、温水ヒータ３５、扉ロック機構６を夫々制御する。
【００２６】
以上の構成により、制御装置４１は、操作パネル４０にてユーザにより設定される運転コースに応じて、各センサからの入力信号や予め記憶された制御プログラムに基づいて、洗濯機本体１の各機構を制御し、周知の洗い、すすぎ、脱水の各行程からなる洗濯運転を自動で実行するようになっている。このとき、制御装置４１は、洗濯運転の実行に併せて扉ロック機構６に対する制御を行うのであるが、通常の洗濯運転中は、扉ロック機構６により扉４を閉塞状態にロックし、運転が終了した時点で、扉４のロックを解除する。
【００２７】
さて、本実施形態では、ユーザの操作パネル４０の操作によるコース選択に基づき、制御装置４１は、温水洗浄コース（６０℃除菌コース）の洗濯運転を実行することが可能とされている。この温水洗浄コースでは、洗い行程を、常温（室温）よりも高く衣類の除菌に有効な第１の温度（例えば５８℃）以上の温水で実行するものであり、制御装置４１は、そのソフトウエア構成（制御プログラムの実行）により、水槽７内への給水後に、温水ヒータ３５により洗濯水を６０℃前後に加熱しながら、洗い行程を進める。
【００２８】
また、後の作用説明でも述べるように、温水洗浄コースでは、制御装置４１は、温水を用いた洗い行程の終了後に、ドラム１０（水槽７）を冷却する冷却行程を実行した上で排水を行い、すすぎ行程の第１脱水に進むようになっている。さらに、温水洗浄コースにおいては、洗い行程後の第１脱水の行程において、モータ９の最高回転数を、温水を利用しないコースの場合（最高回転数が例えば１２００ｒｐｍ）よりも低く設定する（例えば４００ｒｐｍ）ようになっている。
【００２９】
そして、本実施形態では、上述したように、制御装置４１は、水槽７から排水を行う排水の行程において、排水弁１９を開放させてから、一定時間（例えば４分）が経過しても、水位センサ２５の検出した水槽７内の水位が所定のリセット水位まで低下しない場合に、排水異常と判定して、排水異常の報知を行う。具体的には、操作パネル４０の時間表示部４９に異常報知、例えば「Ｃ１」のエラー表示を行うと共に、ブザー５１を鳴動させる。この「Ｃ１」のエラー表示は、ユーザに対し、フィルタユニット１７の点検を促す表示となっている。従って、制御装置４１、時間表示部４９、ブザー５１等から異常報知手段が構成される。
【００３０】
このとき本実施形態では、次の作用説明（フローチャート説明）で述べるように、制御装置４１は、排水異常を検知した際に、温水洗浄コースの実行中である場合には、異常報知を行うタイミングを、常温の水を使用した通常洗濯運転の場合よりも遅延させる。具体的には、通常洗濯運転の場合は、排水異常を検知した直後、或いは検知時点から一定時間後（例えば０〜５分後）に異常報知を行う。
【００３１】
これに対し、温水洗浄コースの実行中である場合には、制御装置４１は、排水異常を検知した際に、所定の待機時間（例えば１０分）が経過した後に、前記水温センサ３８が検出した水温が所定温度（第２の温度）例えば４８℃未満であるかどうかを判断し、所定温度（４８℃）未満であることを条件に異常報知を行う。つまり、排水異常を検知した際に、１０分以上の遅延時間を経た後に異常報知が行われるようになる。従って、制御装置４１が、判断手段及び報知制御手段としても機能する。
【００３２】
但し本実施形態では、制御装置４１は、排水異常を検知した後、最大遅延時間（例えば７０分）が経過した後には、無条件で異常報知を行うようになっている。尚、ここでは、所定の待機時間の経過後に水温を判断するようにしているが、待機時間の経過を待たずに水温センサ３８の検出水温が第２の温度未満であるかどうかを判断し、第２の温度未満である場合に、所定の待機時間（例えば１０分）が経過した後に異常報知を行うように構成しても良い。
【００３３】
次に、上記構成の洗濯機１の作用について、図５、図６も参照して述べる。図５のフローチャートは、制御装置４１が実行する温水洗濯運転、つまり洗い、すすぎ、脱水の行程を順に行う温水洗浄コースの詳細な行程（処理ステップ）を示している。ユーザは、温水洗浄コースの洗濯運転を実行させたい場合、ドラム１０内に衣類を投入し、注水ケース３１内に必要量の洗剤を投入した上で、操作パネル４０を操作して温水洗浄コースを設定し、スタートキー４４をオン操作する。尚、このスタートキー４４のオン操作に伴い、扉ロック機構６により扉４が閉塞状態にロックされる。
【００３４】
すると、図５に示すように、まずステップＳ１にて、布量判定のルーチンが実行される。この布量判定は、布量に応じてドラム１０の回転負荷が変化することを利用するもので、給水前の状態で、ドラム１０を所定の短時間だけ回転させ、その際のモータ９の回転数（回転センサ３９の出力パルス数）を検出することが行われる。布量は、例えば「大」、「中」、「小」の３段階で判定される。ステップＳ２では、洗い行程が開始され、給水弁２９の駆動により、その布量に応じた適切な給水水量の給水が行われ、水槽７（ドラム１０）内に適切な水位まで洗濯水が溜められる。
【００３５】
ステップＳ３では、温水ヒータ３５がオンされ、水槽７（ドラム１０）内の洗濯水が加熱される。温水ヒータ３５は、例えば、水温センサ３８の検出した洗濯水の温度が設定温度（第１の温度）よりもやや高い目標温度（例えば６５℃）になるまで連続通電され、その後温水ヒータ３５はオフされる。ステップＳ４では、所定時間（例えば１５分）の温水洗い動作が実行される。この洗い動作は、ドラム１０を比較的低速で正方向及び逆方向に所定時間間隔で交互に回転させると共に、循環ポンプ２１を適宜駆動することにより行われる。これにて、第１の温度（例えば５８℃）以上の温水を使用して、洗浄効果の高い洗い行程が実行されるのである。
【００３６】
温水洗い動作（洗い行程）が終了すると、冷却行程が実行される。この冷却行程では、まずステップＳ５において約１分間の給水が行われ、次のステップＳ６においてドラム１０の正逆回転による撹拌動作が例えば２分間行われる。これにより、洗濯水が低温の水道水で薄められてその温度が低下し、これと共に、水槽７（ドラム１０）の温度も低下する。冷却行程の終了後、ステップＳ７にて、排水弁１９が動作されて排水が行われる。
【００３７】
排水が終了すると、ステップＳ８〜ステップＳ１３にて、すすぎ行程が実行される。ここでは、すすぎ行程として、ステップＳ８の第１脱水、ステップＳ９のシャワーすすぎ、ステップＳ１０の高速脱水、ステップＳ１１のためすすぎ、ステップＳ１２の高速脱水、ステップＳ１３のためすすぎの動作が順に実行される。このとき、ステップＳ８の第１脱水の行程では、排水弁１９の開放状態でドラム１０が一方向回転されるのであるが、この際、モータ９の最高回転数が４００ｒｐｍに制限される。ステップＳ１０及びＳ１２の高速脱水では、排水弁１９の開放状態でドラム１０が高速で一方向回転され、このときのモータ９の最高回転数は、例えば１２００ｒｐｍに設定される。
【００３８】
ステップＳ９のシャワーすすぎは、水槽７内の所定水位までの給水後、ドラム１０を低速で正逆方向に回転させながら、循環ポンプ２１を駆動することにより行われ、その後、排水が行われる。ステップＳ１１、Ｓ１３のためすすぎでは、水槽７内の所定水位までの給水後、ドラム１０を低速で正逆方向に回転させることにより行われ、その後排水が行われる。このすすぎ行程が終了すると、ステップＳ１４にて、最終脱水の行程が実行される。この最終脱水行程も、排水弁１９の開放状態で、ドラム１０が高速で一方向回転される。このときのモータ９の最高回転数は、例えば１２００ｒｐｍとされる。最終脱水行程の終了後、扉４のロックが解除され、電源がオフされる。
【００３９】
さて、上述のように、制御装置４１は、洗濯運転における複数回の排水時において、排水異常の有無を常に判定し、排水異常を検知したときに排水異常の報知を行う。図６のフローチャートは、制御装置４１が実行する、洗い行程後の排水時における、排水異常の判定（検知）及び異常報知に関する処理手順を示している。即ち、ステップＳ２１にて電源がオンされ、ステップＳ２２にて洗濯運転がスタートされると、ステップＳ２３にて洗い行程が実行される。
【００４０】
洗い行程（或いはその後の冷却行程）が終了すると、ステップＳ２４にて排水弁１９が開放されて排水の行程が開始される。この排水の行程においては、ステップＳ２５にて、常に水位センサ２５により水槽７内の水位が監視され、リセット水位に達したか（低下したか）どうかが判断される。リセット水位に達していない場合には（ステップＳ２５にてＮｏ）、ステップＳ２６にて、所定時間（例えば４分）が経過したかどうかが判断される。この所定時間は、排水経路におけるリントフィルタの詰り等の異常がない場合に、排水弁１９の開放からリセット水位に低下するまでに十分な時間に設定される。
【００４１】
所定時間が経過するまでは（ステップＳ２６にてＮｏ）、ステップＳ２５に戻ってリセット水位に達したか（低下したか）どうかが判断される。所定時間が経過する前にリセット水位に達した場合には（ステップＳ２５にてＹｅｓ）、排水が正常に行われた（排水異常はない）と判定され、ステップＳ２７にて一定時間（例えば１０秒間）の経過を待って、次のステップＳ２８にて排水完了と判断し、ステップＳ２９にて次の行程に進む。
【００４２】
これに対し、検出水位がリセット水位まで低下しない状態のまま、所定時間（４分）が経過してしまった場合には（ステップＳ２６にてＹｅｓ）、ステップＳ３０にて排水異常と判定（検知）される。そしてこの場合には、次のステップＳ３１にて、温水を使用するコース（温水洗濯運転）が実行されているかどうかが判断される。温水を使用していない、つまり常温の水を使用している通常洗濯運転の場合には（ステップＳ３１にてＮｏ）、ステップＳ３２にて、排水異常の異常報知がなされる。この異常報知は、操作パネル４０の時間表示部４９に「Ｃ１」のエラー表示を行うと共に、ブザー５１を鳴動させることにより行われる。尚、この際の異常報知は、排水異常を検知した直後に行っても良いし、排水異常の検知時点から一定時間後（例えば０〜５分後）に行うようにしても良い。
【００４３】
一方、温水洗濯運転が実行されている場合には（ステップＳ３１にてＹｅｓ）、ステップＳ３３にて、排水異常を検知してから所定の待機時間（例えば１０分）が経過したかどうかが判断される。所定の待機時間（１０分）が経過すると（ステップＳ３３にてＹｅｓ）、ステップＳ３４にて、水温センサ３８による水温の検出が行われる。そして、ステップＳ３５にて、水温センサ３８の検出水温が所定温度（例えば４８℃）未満であるかどうかが判断される。水温センサ３８の検出水温が所定温度未満である場合には（ステップＳ３５にてＹｅｓ）か、ステップＳ３６にて、排水異常の異常報知が行われる。
【００４４】
これに対し、水温センサ３８の検出水温が所定温度（４８℃）以上である場合には（ステップＳ３５にてＮｏ）、ステップＳ３７に進み、排水異常検知から最大遅延時間（７０分）が経過したかどうかが判断さる。未だ最大遅延時間（７０分）が経過していない場合には（ステップＳ３７にてＮｏ）、ステップＳ３４に戻り、水温センサ３８による水温検出が再び行われる。そして、最大遅延時間（７０分）が経過した場合には（ステップＳ３７にてＹｅｓ）、ステップＳ３８にて、水温センサ３８の検出水温に関係なく、無条件で異常報知が行われる。
【００４５】
これにて、常温の水を使用した通常洗濯運転の場合には、排水異常の検知時に速やかに異常報知が行われるようになり、ユーザは速やかにリントフィルタの点検作業などを行うことができる。これに対し、温水を使用している温水洗濯運転の場合には、排水の行程で排水異常を検知した場合でも、すぐに異常報知が行われることはなく、所定の遅延時間（１０分間）を置いた後、つまり例えば自然冷却により洗濯水の水温がある程度低下するための時間を経た後に、初めて異常報知が行われるようになる。しかもこのとき、水温センサ３８の検出水温が所定温度（４８℃）未満になったことを条件に報知がなされるので、ユーザは、洗濯水が所定温度（４８℃）未満の状態で、リントフィルタの点検作業などを安全に行うことができる。尚、所定の遅延時間を置くことにより、その時間内に水槽７内の洗濯水も徐々にではあるが減少するため、この観点からも安全性が高まる。
【００４６】
このように本実施形態によれば、次のような効果を得ることができる。本実施形態の洗濯機１では、温水ヒータ３５により水槽７内で温水を生成し、温水を使用して高い洗浄効果を得ることができる温水洗浄コースの洗濯運転の実行が可能となった。但し、常温よりも高い高温の温水を用いるため、ユーザ（人）に対する安全性の確保が必要となる。このとき、もし排水異常が検知されて異常報知が行われた場合、ユーザはリントフィルタの点検のため、外箱２前面下部のカバー２ｂを開放して、フィルタユニット１７のキャップ１８を開放する操作を行うが、例えば水槽７、送水ホース１６、フィルタユニット１７、排水ホース２２部分に残っている温水がユーザの手等にかかってしまう虞がある。
【００４７】
ところが、本実施形態では、制御装置４１は、排水異常が検知された際に、温水を使用した温水洗濯運転が実行されていると判断されている場合には、異常報知を行うタイミングを、常温の水を使用した通常洗濯運転の場合に比べて遅延させるように構成されている。従って、遅延時間を置いた後に異常報知が行われるので、温度が低下した安全な状態で、ユーザがフィルタの点検などの、排水異常に対する対処を行うことができる。この結果、温水での洗濯運転が実行されている場合における、排水異常を検知した際のユーザの安全性を確保することができるという優れた効果を奏する。
【００４８】
特に本実施形態では、水温センサ３８の検出水温が、所定温度（４８℃）未満であるときに、異常報知が行われ、所定温度（４８℃）以上である場合には異常報知が行われない構成とした。これにより、十分な安全性が確保された状態で、ユーザがフィルタの点検などの、排水異常に対する対処を行うことができる。排水異常を検知した時点では、水温が比較的高かった場合でも、水温が十分に低下した際には、極力速やかに異常報知を行うことができる。
【００４９】
このとき、特に本実施形態では、制御装置４１は、排水異常を検知した際に、所定の待機時間（１０分間）が経過した後に、異常報知を行うかどうかの判断を行う。これにより、排水異常を検知した時点では、水温が比較的高かった場合でも、待機時間を経ることによって、ある程度、温度が低下するだけの余地を残して判断を行うことができ、排水異常を検知したにもかかわらず、異常報知が行われなくなるケースを少なく済ませることができる。
【００５０】
しかも、本実施形態では、制御装置４１は、排水異常を検知した後、最大遅延時間（７０分）が経過した後には、無条件で異常報知を行う。排水異常を検知したにも拘わらず、いつまでも異常報知が行われないことは、ユーザが故障と勘違いする虞があるので、最大遅延時間を設けることによって、適当な時間経過後に必ず異常報知が行われることになり、ユーザに不信感を抱かせることを防止することができる。
【００５１】
（２）第２、第３の実施形態、その他の実施形態
図７は、第２の実施形態を示すものであり、上記第１の実施形態と異なるところは、以下の点にある。即ち、この第２の実施形態では、制御装置４１は、排水異常を検知した際に、水温センサ３８の検出水温に基づき、検出水温が高いほど遅延時間を長くするように、異常報知を行うタイミングを変更するようになっている。具体的には、排水異常検知時点の水温が、４８℃未満であるときには、検知時点から１０分後（所定の待機時間の経過後）に異常報知を行う。また、排水異常検知時点の水温が４８℃以上５８℃未満であるときには、検知時点から２０分後に異常報知を行う。このように、排水異常検知時点の水温に応じて、異常報知のタイミングが変動され、排水異常検知時点の水温が６３℃以上であったときには、７０分後に異常報知が行われる。
【００５２】
この第２の実施形態によれば、上記第１の実施形態と同様に、温水での洗濯運転が実行されている場合における、排水異常を検知した際のユーザの安全性を確保することができるという優れた効果を奏する。そして、排水異常を検知した際の水温が高いほど遅延時間が長くされるので、検出水温が比較的高かった場合でも、温度が十分に低下した状態で異常報知を行うことが可能となる。また、水温が比較的低い場合には、遅延時間も比較的短くなるので、できるだけ速やかに異常報知を行うことができる。
【００５３】
図８は、第３の実施形態を示しており、上記第１の実施形態と異なるところは、操作パネル４０に設けられた表示装置６１における異常報知の態様にある。即ち、この第３の実施形態では、例えば液晶表示装置からなる表示装置６１を備えている。この表示装置６１は、文字メッセージの表示を自在に行うことが可能とされ、ブザー５１等と共に排水異常を報知する報知手段として機能する。
【００５４】
制御装置４１は、温水洗濯運転が実行されている場合には、排水異常を検知した際に、上記第１、第２の実施形態と同様に、１０分又はそれ以上の所定の遅延時間をおいて異常報知を行う。この異常報知においては、図８（ｂ）に示すように、表示装置６１に、排水異常である旨、及びリントフィルタ等の点検を促す文字メッセージが表示される。そして、この第３の実施形態では、制御装置４１は、排水異常を検知した後、異常報知を行うまでの間に、表示装置６１に水温が高温である旨を知らせる前段報知を行う。
【００５５】
この前段報知においては、図８（ａ）に示すように、表示装置６１に、排水異常を検知したが、点検の実施を、槽内の水温が低下するまで待つように促す文字メッセージが表示される。この第３の実施形態によれば、１段階目で前段報知が行われることによって、ユーザは、高温であることを知ることができ、その後水温が低下して２段階目の異常報知が行われることにより、安全性を確保した状態で対処を行うことができる。前段報知により、遅延時間におけるユーザの違和感をなくすことができる利点も得ることができる。
【００５６】
尚、図示はしないが、以下に述べるその他の実施形態のように構成することも可能である。即ち、制御装置４１は、温水を利用した洗濯運転中に電源切断状態となった場合に、記憶手段としての不揮発性メモリ５０に温水洗浄を記憶する。そして、制御装置４１は、電源がオンされた際に、前記不揮発性メモリ５０に温水洗浄が記憶されている場合には、再開後の洗濯運転における温水の利用の有無に関係なく、上記第１〜第３の実施形態のように、排水異常を検知した際の異常報知を遅延させる制御を実行するように構成することができる。
【００５７】
これによれば、温水を利用した洗濯運転中に電源切断状態となった場合には、再開時にも温水や各部の高温状態が残っているケースが考えられるので、その後、洗濯運転が再開された際に、不揮発性メモリ５０に温水洗浄が記憶されている場合には、異常報知を遅延させることにより、ユーザの安全性を高めることができる。尚、水槽７内（洗濯水）の温度が十分に低下した状態となった時点で、不揮発性メモリ５０の温水洗浄の記憶をクリアすることができる。
【００５８】
また、上記各実施形態では、温水ヒータ３５（加熱手段）を設けて、常温の水（水道水等）を加熱することにより温水洗濯運転を実行するように構成したが、温水供給手段としては、給湯器などから温水を洗濯機１に供給できる場合、風呂水ポンプにより風呂の残り湯（比較的温度の高いぬるま湯）を水槽７内に供給できる場合等であっても良い。このように温水を供給して洗濯運転を実行する場合でも、制御装置は、温水洗濯運転が実行されていると判断することができる。
【００５９】
その他、洗濯機としては、ドラム式の洗濯機に限られず、水槽および回転槽の中心軸線が上下方向に向く、いわゆる縦軸型の洗濯機にも適用することができる。また、所定温度等の水温や待機時間などの時間の具体的数値としても、一例を示したに過ぎず、適宜変更することが可能である等、要旨を逸脱しない範囲内で様々に変更して実施し得るものである。
【符号の説明】
【００６０】
図面中、１は洗濯機、２は外箱（洗濯機本体）、７は水槽、１０はドラム（洗い槽）、１７はフィルタユニット、１９は排水弁、２１は循環ポンプ、２５は水位センサ、３５は温水ヒータ（温水供給手段）、３８は水温センサ（水温検出手段）、４０は操作パネル、４１は制御装置（制御手段、排水異常検知手段、報知制御手段）、４９は時間表示部（異常報知手段）、５０は不揮発性メモリ（記憶手段）、５１はブザー（異常報知手段）、６１は表示装置（異常報知手段）を示す。
【図１】
2017080011.tif 000003
【図２】
2017080011.tif 000004
【図３】
2017080011.tif 000005
【図４】
2017080011.tif 000006
【図５】
2017080011.tif 000007
【図６】
2017080011.tif 000008
【図７】
2017080011.tif 000009
【図８】
2017080011.tif 000010